(57)【要約】【課題】マッサージ機の不使用時にマッサージ機全体を収納袋内に収納でき、かつ当該収納袋を紛失しにくい、マッサージ機を提供する。【解決手段】マッサージ機１は、第１マッサージが可能な第１施療部２と、第２マッサージが可能な第２施療部４と、第１施療部２と第２施療部４とを連結する連結部３と、第１施療部２、第２施療部４および連結部３のいずれかに設けられ、第１施療部２、連結部３および第２施療部４を収納する収納袋５とを含む。【選択図】図２
2020130871.tif 000002
【特許請求の範囲】
【請求項１】
第１マッサージが可能な第１施療部と、
第２マッサージが可能な第２施療部と、
前記第１施療部と前記第２施療部とを連結する連結部と、
前記第１施療部、前記第２施療部および前記連結部のいずれかに設けられ、前記第１施療部、前記連結部および前記第２施療部を収納する収納袋とを含む、マッサージ機。
【請求項２】
前記連結部は、第１表面と前記第１表面とは反対側の第２表面とを有しており、
前記収納袋は、前記連結部の前記第２表面に固定されており、
前記収納袋は、前記第２施療部が前記連結部の前記第１表面側に向かって折り倒されかつ前記連結部の前記第１表面と前記第１施療部との間に前記第２施療部が挟まれるように、前記連結部が前記第１施療部側に向かって折り倒されている状態で、前記第１施療部、前記連結部および前記第２施療部を収納するように構成されている、請求項１に記載のマッサージ機。
【請求項３】
前記収納袋は、巾着袋からなり、裏返されかつ折り畳まれた状態で、前記連結部の前記第２表面に固定されている、請求項２に記載のマッサージ機。
【請求項４】
前記収納袋は、伸縮性を有する材料からなる袋本体を備えている、請求項１〜３のいずれか一項に記載のマッサージ機。
【請求項５】
前記第１施療部は、振動マッサージを行うためのバイブレータを備えている、請求項１〜４のいずれか一項に記載のマッサージ機。
【請求項６】
前記第１施療部は、振動マッサージを行うためのバイブレータと、被施療部を温めるためのヒータとを備えている、請求項１〜４のいずれか一項に記載のマッサージ機。
【請求項７】
前記第１施療部は、空気の給排気により膨張収縮することによってエア式マッサージを行うための１または複数のエアバックを備えている、請求項１〜４のいずれか一項に記載のマッサージ機。
【請求項８】
前記第２施療部は、空気の給排気により膨張収縮することによってエア式マッサージを行うための１または複数のエアバックを備えている、請求項１〜７のいずれか一項に記載のマッサージ機。
【発明の詳細な説明】
【技術分野】
【０００１】
この発明は、マッサージ機に関する。
【背景技術】
【０００２】
特許文献１には、足押圧部（２０）と、足押圧部（２０）に連結部（４０）を介して接続された脚押圧部（１０）とを備えたマッサージ機（１）が開示されている。
【先行技術文献】
【特許文献】
【０００３】
【特許文献１】特開２０１７−７４５００号公報
【発明の概要】
【０００４】
特許文献１の図１３および図１４には、マッサージ機（１）の不使用時には、脚押圧部（１０）を連結部（４０）から足押圧部（２０）側に折り倒した状態で、脚押圧部（１０）、連結部（４０）および足押圧部（２０）を外カバー（２９）で覆うことが開示されている。しかし、この外カバー（２９）は、マッサージ機（１）の使用時には、マッサージ機（１）から取り外されるので、外カバー（２９）を紛失するおそれがある。
【０００５】
特許文献１の図１５には、マッサージ機（１）の不使用時には、収納部（５０）と蓋部（５１）とからなる容器内に、マッサージ機（１）全体を収納し、ファスナー（５２）によって開け閉め自在とした構成が開示されている。しかし、このような構成では、マッサージ機（１）の使用時には、容器からマッサージ機１が取り出されるので、容器を紛失するおそれがある。
【０００６】
特許文献１の図１６には、マッサージ機（１）の不使用時には、布片（５３）の一端がマッサージ機（１）の足押圧部（２０）の一側部に固定され、他端がファスナー（５４）によってマッサージ機（１）の足押圧部（２０）に他側部に係合されることが開示されている。しかながら、この布片（５３）は、マッサージ機１全体（脚押圧部（１０）、連結部（４０）および足押圧部（２０））を収納するものではないため、マッサージ機（１）の不使用時において防塵性が低いという問題がある。また、布片（５３）の一端は、押圧マッサージを行う足押圧部（２０）に固定されているため、マッサージ機（１）の使用時に、布片（５３）が邪魔になるという問題がある。
【０００７】
この発明は、マッサージ機の不使用時にマッサージ機全体を収納袋内に収納でき、かつ当該収納袋を紛失しにくい、マッサージ機を提供することを目的とする。
【課題を解決するための手段】
【０００８】
この発明の一実施形態は、第１マッサージが可能な第１施療部と、第２マッサージが可能な第２施療部と、前記第１施療部と前記第２施療部とを連結する連結部と、前記第１施療部、前記第２施療部および前記連結部のいずれかに設けられ、前記第１施療部、前記連結部および前記第２施療部を収納する収納袋とを含む、マッサージ機を提供する。
この構成では、マッサージ機の不使用時にマッサージ機全体を収納袋に収納でき、しかも、収納袋を紛失しにくいマッサージ機を実現できる。
【０００９】
この発明の一実施形態では、前記連結部は、第１表面と前記第１表面とは反対側の第２表面とを有しており、前記収納袋は、前記連結部の前記第２表面に固定されており、前記収納袋は、前記第２施療部が前記連結部の前記第１表面側に向かって折り倒されかつ前記連結部の前記第１表面と前記第１施療部との間に前記第２施療部が挟まれるように、前記連結部が前記第１施療部側に向かって折り倒されている状態で、前記第１施療部、前記連結部および前記第２施療部を収納するように構成されている。
【００１０】
この発明の一実施形態は、前記収納袋は、巾着袋からなり、裏返されかつ折り畳まれた状態で、前記連結部の前記第２表面に固定されている。
この発明の一実施形態は、前記収納袋は、伸縮性を有する材料からなる袋本体を備えている。
この発明の一実施形態は、前記第１施療部は、振動マッサージを行うためのバイブレータを備えている。
【００１１】
この発明の一実施形態は、前記第１施療部は、振動マッサージを行うためのバイブレータと、被施療部を温めるためのヒータとを備えている。
この発明の一実施形態は、前記第１施療部は、空気の給排気により膨張収縮することによってエア式マッサージを行うための１または複数のエアバックを備えている。
この発明の一実施形態は、前記第２施療部は、空気の給排気により膨張収縮することによってエア式マッサージを行うための１または複数のエアバックを備えている。
【図面の簡単な説明】
【００１２】
【図１】図１は、マッサージ機の表面側の外観を示す斜視図である。
【図２】図２は、マッサージ機の裏面側の外観を示す斜視図であって、収納袋が折り畳まれている状態を示す斜視図である。
【図３】図３は、図１の側面図である。
【図４】図４は、マッサージ機の裏面側の外観を示す斜視図であって、折り畳まれていた収納袋が延ばされた状態を示す斜視図である。
【図５】図５は、主として折り畳まれていた収納袋が延ばされた状態での収納袋の縦断面を示す部分断面図である。
【図６】図６は、制御ユニットの構成を示すブロック図である。
【図７】図７は、エアポンプから各エアバッグまでのエア回路を示すエア回路図である。
【図８Ａ】図８Ａは、マッサージ機の第１の使用形態を説明するための斜視図である。
【図８Ｂ】図８Ｂは、マッサージ機の第１の使用形態を説明するための側面図である。
【図９Ａ】図９Ａは、マッサージ機の第２の使用形態を説明するための斜視図である。
【図９Ｂ】図９Ｂは、マッサージ機の第２の使用形態を説明するための側面図である。
【図１０Ａ】図１０Ａは、マッサージ機の第３の使用形態を説明するための斜視図である。
【図１０Ｂ】図１０Ｂは、マッサージ機の第３の使用形態を説明するための側面図である。
【図１１Ａ】図１１Ａは、マッサージ機の収納工程を説明するための斜視図である。
【図１１Ｂ】図１１Ｂは、図１１Ａの次の工程を示す斜視図である。
【図１１Ｃ】図１１Ｃは、図１１Ｂの次の工程を示す斜視図である。
【図１１Ｄ】図１１Ｄは、図１１Ｃの次の工程を示す斜視図である。
【図１１Ｅ】図１１Ｅは、図１１Ｄの次の工程を示す斜視図である。
【図１１Ｆ】図１１Ｆは、図１１Ｅの次の工程を示す斜視図である。
【図１１Ｇ】図１１Ｇは、図１１Ｆの次の工程を示す斜視図である。
【図１１Ｈ】図１１Ｈは、図１１Ｇの次の工程を示す斜視図である。
【発明を実施するための形態】
【００１３】
以下、この発明の実施形態を、添付図面を参照して詳細に説明する。
図１は、マッサージ機の表面側の外観を示す斜視図である。図２は、マッサージ機の裏面側の外観を示す斜視図であって、収納袋が折り畳まれている状態を示す斜視図である。図３は、図１の側面図である。図４は、マッサージ機の裏面側の外観を示す斜視図であって、折り畳まれていた収納袋が延ばされた状態を示す斜視図である。図５は、主として折り畳まれていた収納袋が延ばされた状態での収納袋の縦断面を示す部分断面図である。
【００１４】
マッサージ機１は、第１マッサージが可能な第１施療部２と、第２マッサージが可能な第２施療部４と、第１施療部２と第２施療部４とを連結する連結部３と、連結部３に設けられ、第１施療部２、連結部３および第２施療部４を収納する収納袋５と、制御ユニット６と、リモートコントローラ（リモコン）７とを含む。第１施療部２と連結部３と第２施療部４とは、縦方向に並ぶように、連結されている。
【００１５】
第１施療部２は、柔軟性を有する扁平直方体状の第１収納体１１と、第１収納体１１内に収納されたバイブレータ１２およびヒータ１３とを備えている。
第１収納体１１は、平面視で略矩形状であり、表面１１ａと、裏面１１ｂと、第１、第２、第３および第４側面１１ｃ，１１ｄ，１１ｅ，１１ｆとを有する。第１側面１１ｃおよび第３側面１１ｅは、縦方向に対向している。第２側面１１ｄおよび第４側面１１ｆは、横方向に対向している。第１側面１１ｃの長手方向の長さは、第３側面１１ｅの長手方向の長さよりも長い。第２側面１１ｄおよび第４側面１１ｆは、横方向の外側に向かって凸となる湾曲面に形成されている。
【００１６】
バイブレータ１２は、第１収納体１１の中央部に収納されている。バイブレータ１２は、例えば、バイブレータ用モータの軸に偏心錘が取り付けられた電動用バイブレータである。バイブレータ１２は、被施療者に振動マッサージを行うためのものである。
ヒータ１３は、第１ヒータ１３Ａと、第１ヒータ１３Ａに直列に接続された第２ヒータ１３Ｂとを含む。第１ヒータ１３Ａは、第１収納体１１における第２側面１１ｄとバイブレータ１２との間に収納されている。第２ヒータ１３Ｂは、第１収納体１１における第４側面１１ｆとバイブレータ１２との間に収納されている。ヒータ１３は、被施療者の被施療部位を温めるためのものである。
【００１７】
連結部３は、平面視で横長矩形状であり、柔軟性を有するシート状部材から構成されている。連結部３は、表面（第１表面）３ａと、裏面（第２表面）３ｂと、第１、第２、第３および第４側縁３ｃ，３ｄ，３ｅ，３ｆとを有する。第１側縁３ｃおよび第３側縁３ｅは、縦方向に対向している。第２側縁３ｄおよび第４側縁３ｆは、横方向に対向している。
【００１８】
連結部３の第１側縁３ｃが第１収納体１１の第３側面１１ｅに接合されることにより、第１収納体１１が連結部３に連結されている。なお、連結部３の裏面３ｂにおける第１側縁３ｃ寄り部分が、第１収納体１１の表面１１ａにおける第３側面１１ｅ寄り部分に接合されることにより、第１収納体１１が連結部３に連結されてもよい。
連結部３の裏面３ｂに、収納袋５が固定されている。収納袋５の詳細については、後述する。
【００１９】
第２施療部４は、この実施形態では、横方向に間隔をおいて配置された第３施療部４Ａおよび第４施療部４Ｂを備えている。
第３施療部４Ａは、柔軟性を有する横長帯状の第２収納体２１と、第２収納体２１内に収納された３つのエアバック２２，２３，２４と、第２収納体２１の長手方向両端に一端部がそれぞれ固定された２本の結束用テープ２５，２６を備えている。
【００２０】
第２収納体２１は、表面２１ａと、裏面２１ｂと、第１、第２、第３および第４側縁２１ｃ，２１ｄ，２１ｅ，２１ｆとを有する。第１側縁２１ｃおよび第３側縁２１ｅは、縦方向に対向している。第２側縁２１ｄおよび第４側縁２１ｆは、横方向に対向している。第２収納体２１の第１側縁２１ｃのうちの第４側縁２１ｆ寄り部分が、連結部３の第３側縁３ｅにおける第２側縁３ｄ寄り部分に接合されている。
【００２１】
３つのエアバック２２，２３，２４は、横方向に間隔をおいて並んで設けられている。以下おいて、３つのエアバック２２，２３，２４のうち、横方向外側（第２収納体２１の第２側縁２１ｄ側）のエアバック２２を第１エアバック２２といい、横方向内側（第２収納体２１の第４側縁２１ｆ側）のエアバック２４を第３エアバック２４といい、それらの間のエアバック２３を第２エアバック２３という場合がある。
【００２２】
この実施形態では、第３エアバック２４の幅が最も大きく、第１エアバック２２の幅がその次に大きく、第２エアバック２３の幅が最も小さい。第２収納体２１は、柔軟性を有しており、複数のエアバックが横方向に間隔をおいて設けられているため、第３施療部４Ａは、例えば、被施療者の脚等の被施療部に巻き付けることが可能となっている。
結束用テープ２５，２６は、例えば、第３施療部４Ａが被施療部に巻き付けられた状態を維持するために設けられている。以下において、第２収納体２１の外方端に設けられた結束用テープ２５を第１結束用テープ２５といい、第２収納体２１の内方端に設けられた結束用テープ２６を第２結束用テープ２６という場合がある。
【００２３】
各結束用テープ２５，２６の解放側端部には、両結束用テープ２５，２６どうしを着脱可能に結合することができる着脱式結合部材２７，２８が固定されている。着脱式結合部材としては、例えば、面ファスナーが用いられる。例えば、着脱式結合部材２７は、面ファスナーのＡ面（オス）であり、第１結束用テープ２５の裏面側に固定されている。一方、着脱式結合部材２８は、面ファスナーのＢ面（メス）であり、第２結束用テープ２６の表面側に固定されている。
【００２４】
第４施療部４Ｂは、柔軟性を有する横長帯状の第３収納体３１と、第３収納体３１内に収納された３つのエアバック３２，３３，３４と、第３収納体３１の長手方向両端に一端部がそれぞれ固定された２本の結束用テープ３５，３６を備えている。
第３収納体３１は、表面３１ａと、裏面３１ｂと、第１、第２、第３および第４側縁３１ｃ，３１ｄ，３１ｅ，３１ｆとを有する。第１側縁３１ｃおよび第３側縁３１ｅは、縦方向に間隔をおいて横方向に平行に延び、互いに対向している。第２側縁３１ｄおよび第４側縁３１ｆは、横方向に間隔をおいて縦方向に平行に延び、互いに対向している。第３収納体３１の第１側縁３１ｃのうちの第２側縁３１ｄ寄り部分が、連結部３の第３側縁３ｅにおける第４側縁３ｆ寄り部分に連結されている。
【００２５】
３つのエアバック３２，３３，３４は、横方向に間隔をおいて並んで設けられている。以下おいて、３つのエアバック３２，３３，３４のうち、横方向内側（第３収納体３１の第２側縁３１ｄ側）のエアバック３２を第４エアバック３２といい、横方向外側（第３収納体３１の第４側縁３１ｆ側）のエアバック３４を第６エアバック３４といい、それら間のエアバック３３を第５エアバック３３という場合がある。
【００２６】
この実施形態では、第４エアバック３２の幅が最も大きく、第６エアバック３４の幅がその次に大きく、第５エアバック３３の幅が最も小さい。第３収納体３１は、柔軟性を有しており、複数のエアバック３２，３３，３４が横方向に間隔をおいて設けられているため、第４施療部４Ｂは、例えば、被施療者の脚等の被施療部に巻き付けることが可能となっている。
【００２７】
結束用テープ３５，３６は、例えば、第４施療部４Ｂが被施療部に巻き付けられた状態を維持するために設けられている。以下において、第３収納体３１の内方端に設けられた結束用テープ３５を第３結束用テープ３５といい、第３収納体３１の外方端に設けられた結束用テープ３６を第４結束用テープ３６という場合がある。
各結束用テープ３５，３６の解放側端部には、両結束用テープ３５，３６どうしを着脱可能に結合することができる着脱式結合部材３７，３８が固定されている。着脱式結合部材としては、例えば、面ファスナーが用いられる。例えば、着脱式結合部材３７は、面ファスナーのＡ面（オス）であり、第３結束用テープ３５の裏面側に固定されている。一方、着脱式結合部材３８は、面ファスナーのＢ面（メス）であり、第４結束用テープ３６の表面側に固定されている。
【００２８】
第３施療部４Ａに設けられている各エアバッグ２２，２３，２４および第４施療部４Ｂに設けられている各エアバッグ３２，３３，３４は、空気の吸排気によって膨張収縮することにより、被施療者にエア式マッサージを行うためのものである。
収納袋５は、図２〜図５に示すように、この実施形態では、巾着袋（drawstring bag）である。マッサージ機１の使用時には、収納袋５は、図２および図３に示すように、本来の袋内面が外側に露出するように裏返されかつ折り畳まれた状態で、連結部３の裏面に固定されている。図４および図５は、折り畳まれていた収納袋５が延ばされた状態を示している。
【００２９】
収納袋５は、図２〜図５に示すように、伸縮性を有する材料からなる袋本体４１と、袋本体４１の開口部を開閉するための紐４２とを備えている。袋本体４１は、縦方向に長い形状を有している。袋本体４１の開口部には、一部が切除された有端筒状で２つの開口を有する紐通し部４１ａが形成されている。紐通し部４１ａには、紐４２が挿通されている。紐４２の両端部は、紐通し部４１ａの２つの開口からそれぞれ外方に引き出されている。裏返されている収納袋５の開口部とは反対側寄り部分の片面には、横方向に延びる結束用バンド４３の長さ中間部が固定されている。そして、収納袋５の当該片面の所定領域が、結束用バンド４３の長さ中間部とともに、連結部３の裏面３ｂに接合されている。
【００３０】
結束用バンド４３の両端部には、結束用バンド４３の両端を着脱可能に結合することができる着脱式結合部材４４，４５が固定されている。着脱式結合部材４４，４５としては、例えば、面ファスナーが用いられる。例えば、着脱式結合部材４４は、面ファスナーのＡ面（オス）であり、結束用バンド４３の一端の裏面側に固定されている。一方、着脱式結合部材４５は、面ファスナーのＢ面（メス）であり、結束用バンド４３の他端の表面側に固定されている。結束用バンド４３の両端部は、図２に示すように、収納袋５が折り畳まれた状態を維持するために、結合される。
【００３１】
収納袋５は、後述するように、マッサージ機１の不使用時において、第１施療部２、連結部３、第２施療部４、制御ユニット６およびリモコン７を収納する。
制御ユニット６は、第１施療部２および第２施療部４を制御するためのものである。制御ユニット６と第１施療部２とは、配線ケーブルによって接続されている。制御ユニット６と第３施療部４Ａとは、エアチューブ７５（図７参照）によって接続されている。制御ユニット６と第４施療部４Ｂとは、エアチューブ７６（図７参照）によって接続されている。リモコン７は、被施療者がマッサージ機１を操作するためのものである。リモコン７には、複数の操作キー等が設けられている。
【００３２】
図６は、制御ユニット６の構成を示すブロック図である。図７は、エアポンプから各エアバッグまでのエア回路を示すエア回路図である。
制御ユニット６は、エアポンプ７１と、第１および第２電磁弁７２，７３と、制御部６０と、複数の駆動回路６１〜６５とを備えている。
複数の駆動回路６１〜６５は、バイブレータ（バイブレータ用モータ）１２の駆動回路６１と、ヒータ１３の駆動回路６２と、エアポンプ７１の駆動回路６３と、第１電磁弁７２の駆動回路６４と第２電磁弁７３の駆動回路６５とを含んでいる。
【００３３】
制御部６０は、マイクロコンピュータを含んでいる。マイクロコンピュータは、ＣＰＵ、メモリ（ＲＡＭ、ＲＯＭ、不揮発性メモリ）等を備えている。メモリには、ＣＰＵのプログラムの他、各種データが記憶される。制御部６０には、リモコン７および各駆動回路６１〜６５が接続されている。制御部６０は、リモコン７からの入力に基づいて、各駆動回路６１〜６５を駆動制御する。
【００３４】
図７を参照して、エアポンプ７１は、エアチューブ７４を介して、各電磁弁７２，７３に接続されている。第１電磁弁７２は、エアチューブ７５（図１〜図５では図示略）を介して、第３施療部４Ａに設けられている第１、第２および第３エアバッグ２２，２３，２４に接続されている。第２電磁弁７３は、エアチューブ７６（図１〜図５では図示略）を介して、第４施療部４Ｂに設けられている第４、第５および第６エアバッグ３２，３３，３４に接続されている。
【００３５】
第１電磁弁７２が励磁されると、エアポンプ７１から、エアチューブ７４、第１電磁弁７２およびエアチューブ７５を介して第１、第２および第３エアバッグ２２，２３，２４に空気が供給される。これにより、第１、第２および第３エアバッグ２２，２３，２４が膨張する。そして、第１電磁弁７２が消磁されると、第１、第２および第３エアバッグ２２，２３，２４内の空気が電磁弁を介して外部に排気される。これにより、第１、第２および第３エアバッグ２２，２３，２４が収縮する。
【００３６】
同様に、第２電磁弁７３が励磁されると、エアポンプ７１から、エアチューブ７４、第２電磁弁７３およびエアチューブ７６を介して第４、第５および第６エアバッグ３２，３３，３４に空気が供給される。これにより、第４、第５および第６エアバッグ３２，３３，３４が膨張する。そして、第２電磁弁７３が消磁されると、第４、第５および第６エアバッグ３２，３３，３４内の空気が電磁弁を介して外部に排気される。これにより、第４、第５および第６エアバッグ３２，３３，３４が収縮する。
【００３７】
このマッサージ機１では、被施療者は、リモコン７を操作することによって、第１施療部２による被施療部を温めながらの振動マッサージや、第２施療部４によるエア式マッサージを受けることができる。第１施療部２による振動マッサージおよび第２施療部４によるエア式マッサージは、同時に受けることも可能であるし、一方のマッサージのみを選択して受けることも可能である。また、第３施療部４Ａによるエア式マッサージおよび第４施療部４Ｂによるエア式マッサージを同時に受けることも可能であるし、一方のエア式マッサージのみを選択して受けることも可能である。
【００３８】
次に、マッサージ機１の使用方法につい説明する。このマッサージ機１は、通常は、被施療者が椅子に着座した状態で使用される。以下の説明において、前後方向、左右方向および上下方向とは、被施療者が椅子に着座したときに、その被施療者から見た場合の前後方向、左右方向および上下方向をそれぞれいうものとする。
図８Ａは、マッサージ機１の第１の使用形態を説明するための斜視図である。図８Ｂは、マッサージ機１の第１の使用形態を説明するための側面図である。
【００３９】
第１の使用形態では、被施療者１００は、床上に置かれた椅子１０１に着座した状態でマッサージを受ける。第１収納体１１の表面１１ａが上を向きかつ第１収納体１１の第１側面１１ｃが前方を向く状態で、第１施療部２が床上に置かれる。そして、被施療者１００は、第１施療部２上に足を載せる。また、被施療者１００は、第３施療部４Ａを右脹脛（右下腿）に巻き付け、結束用テープ２５，２６の両端部を結合する。同様に、被施療者１００は、第４施療部４Ｂを左脹脛（左下腿）に巻き付け、結束用テープ３５，３６の両端部を結合する。
【００４０】
この第１の使用形態では、マッサージ機１は、第１施療部２による足裏を温めながらの振動マッサージ（足裏マッサージ）と、第３施療部４Ａによる右脹脛へのエア式マッサージ（押圧マッサージ）と、第４施療部４Ｂによる左脹脛へのエア式マッサージ（押圧マッサージ）とを行うことができる。
図９Ａは、マッサージ機１の第２の使用形態を説明するための斜視図である。図９Ｂは、マッサージ機１の第２の使用形態を説明するための側面図である。
【００４１】
第２の使用形態においても、被施療者１００は、椅子１０１に着座した状態でマッサージを受ける。第１収納体１１の表面１１ａが上を向きかつ第１収納体１１の第３側面１１ｅが前方を向く状態で、第１施療部２が椅子１０１上に置かれる。そして、被施療者１００は、第１施療部２上に腰を掛ける。
また、被施療者１００は、第４施療部４Ｂを右脹脛に巻き付け、結束用テープ３５，３６の両端部を結合する。同様に、被施療者１００は、第３施療部４Ａを左脹脛に巻き付け、結束用テープ２５，２６の両端部を結合する。
【００４２】
この第２の使用形態では、マッサージ機１は、第１施療部２による臀部および大腿部を温めながらの振動マッサージと、第３施療部４Ａによる左脹脛へのエア式マッサージと、第４施療部４Ｂによる右脹脛へのエア式マッサージとを行うことができる。
図１０Ａは、マッサージ機１の第３の使用形態を説明するための斜視図である。図１０Ｂは、マッサージ機１の第３の使用形態を説明するための側面図である。
【００４３】
第３の使用形態においても、被施療者１００は、椅子１０１に着座した状態でマッサージを受ける。第１収納体１１の表面１１ａが上を向きかつ第１収納体１１の第１側面１１ｃが前方を向く状態で、第１施療部２が椅子１０１上に置かれる。そして、被施療者１００は、連結部３の表面３ａ全体と、第２収納体２１の表面２１ａの第４側縁２１ｆ寄り部分と、第３収納体３１の表面３１ａの第２側縁３１ｄ寄り部分とが背中に沿うようにして、第１施療部２上に腰を掛ける。
【００４４】
そして、被施療者１００は、第３施療部４Ａと第４施療部４Ｂとからなる第２施療部４が、被施療者１００の腰部に巻き付くように、第３施療部４Ａの結束用テープ２５の解放端部と第４施療部４Ｂの結束用テープ３６の解放端部とを結合する。
この第３の使用形態では、マッサージ機１は、第１施療部２による臀部および大腿部を温めながらの振動マッサージと、第２施療部４による腰部へのエア式マッサージとを行うことができる。
【００４５】
次に、マッサージ機１の収納方法について説明する。
図１１Ａ〜図１１Ｈは、マッサージ機１の収納方法を説明するための斜視図である。説明の便宜上、図１１Ａ〜図１１Ｈにおいては、制御ユニット６およびリモコン７は省略されている。
まず、図１１Ａおよび図１１Ｂに示すように、第３施療部４Ａの表面２１ａの略外側半分が略内側半分に重なるように、第３施療部４Ａを折り畳むと同時に、第４施療部４Ｂの表面３１ａの略外側半分が略内側半分に重なるように、第４施療部４Ｂを折り畳む。
【００４６】
次に、図１１Ｂおよび図１１Ｃに示すように、折り畳まれた第３施療部４Ａを、その第１側縁２１ｃを中心軸として、連結部３の表面３ａ側に向かって折り倒すと同時に、折り畳まれた第４施療部４Ｂを、その第１側縁３１ｃを中心として、連結部３の表面３ａ側に向かって折り倒す。
次に、図１１Ｃおよび図１１Ｄに示すように、連結部３を第３施療部４Ａおよび第４施療部４Ｂとともに、その第１側縁３ｃを中心軸として、第１施療部２の表面１１ａ側に向かって折り倒す。言い換えれば、連結部３の表面３ａと第１施療部２との間に第２施療部４（第３施療部４Ａおよび第４施療部４Ｂ）とが挟まれるように、連結部３を第１施療部２に向かって折り倒す。
【００４７】
これにより、図１１Ｄに示すように、連結部３の表面３ａと第１施療部２の表面１１ａとの間に、折り畳まれた第３施療部４Ａおよび第４施療部４Ｂが挟まれた状態となる。また、連結部３の裏面３ｂが上を向いた状態となる。連結部３の裏面３ｂには、前述したように、収納袋５が裏返されかつ畳まれた状態で、固定されている。
次に、図１１Ｅに示すように、結束用バンド４３の両端部の結合を解いた後、折り畳まれている収納袋５を、裏返し状態のまま延ばす。
【００４８】
次に、図１１Ｅ〜図１１Ｇに示すように、裏返し状態の収納袋５を、本来の袋外面が外側に露出するように表に返しながら、第１施療部２、連結部３、第２施療部４（第３施療部４Ａおよび第４施療部４Ｂ）、制御ユニット６（図１１Ｅ〜図１１Ｇにおいて図示略）およびリモコン７（図１１Ｅ〜図１１Ｇにおいて図示略）を袋本体４１で包み込む。
最後に、図１１Ｈに示すように、袋本体４１によって包み込まれたマッサージ機１全体を上下面が反対となるように引っ繰り返した後、紐４２の両端を引っ張って、収納袋５の開口部を閉じる。この後、図示していないが、紐４２の両端を結ぶ。
【００４９】
これにより、第１施療部２、連結部３、第２施療部４（第３施療部４Ａおよび第４施療部４Ｂ）、制御ユニット６およびコントローラ７が収納袋５に収納される。より詳しくは、第２施療部４が連結部３の表面３ａ側に向かって折り倒されかつ連結部３の表面３ａと第１施療部２との間に第３施療部４Ａおよび第４施療部４Ｂが挟まれるように、連結部３が第１施療部２側に向かって折り倒されている状態で、マッサージ機１が、収納袋５に収納される。
【００５０】
前述の実施形態では、マッサージ機１の不使用時にマッサージ機１全体を収納袋５に収納でき、しかも、収納袋５を紛失しにくいマッサージ機１を実現できる。
また、前述の実施形態では、収納袋５は、連結部３に設けられているので、収納袋５を第１施療部２または第２施療部４に設ける場合に比べて、マッサージの邪魔になりにくい。特に、前述の実施形態では、マッサージ機１の使用時には、収納袋５は、折り畳まれた状態で、連結部３の裏面３ｂに固定されるので、マッサージの邪魔になりにくい。
【００５１】
以上、この発明の実施形態について説明したが、この発明はさらに他の形態で実施することもできる。前述の実施形態では、収納袋５は連結部３に設けられているが、収納袋５は第１施療部２または第２施療部４に設けられてもよい。
また、前述の実施形態では、第１施療部２は、振動マッサージが行えるように構成されているが、第１施療部２は、エア式マッサージを行えるように構成されていてもよい。この場合には、第１施療部２に１または複数のエアバックが設けられる。
【００５２】
また、第２施療部４は、エア式マッサージを行えるように構成されているが、振動マッサージが行えるように構成されていてもよい。この場合には、第２施療部４に、バイブレータが設けられる。
さらに、第１施療部２が行えるマッサージの種類は、振動マッサージ、エア式マッサージ以外のマッサージであってもよい。同様に、第２施療部４が行えるマッサージの種類は、振動マッサージ、エア式マッサージ以外のマッサージであってもよい。
【００５３】
前述の実施形態では、第２施療部４は、第３施療部４Ａと第４施療部４Ｂとの２つの施療部から構成されているが、１つの施療部あるいは３以上の施療部から構成されていてもよい。
その他、特許請求の範囲に記載された事項の範囲で種々の設計変更を施すことが可能である。
【符号の説明】
【００５４】
１  マッサージ機
２  第１施療部
３  連結部
４  第２施療部
４Ａ  第３施療部
４Ｂ  第４施療部
５  収納袋
６  制御ユニット
７  リモートコントローラ（リモコン）
１１  第１収納体
１２  バイブレータ
１３  ヒータ
１３Ａ  第１ヒータ
１３Ｂ  第２ヒータ
２１  第２収納体
２２，２３，２４  エアバック
２５，２６  結束用テープ
２７，２８  着脱式結合部材
３１  第３収納体
３２，３３，３４  エアバック
３５，３６  結束用テープ
３７，３８  着脱式結合部材
４１  袋本体
４１ａ  紐通し部
４２  紐
４３  結束用テープ
４４，４５  着脱式結合部材
６０  制御部
６１〜６５  駆動回路
７１  エアポンプ
７２，７３  電磁弁
７４，７５，７６  エアチューブ
【図１】
2020130871.tif 000003
【図２】
2020130871.tif 000004
【図３】
2020130871.tif 000005
【図４】
2020130871.tif 000006
【図５】
2020130871.tif 000007
【図６】
2020130871.tif 000008
【図７】
2020130871.tif 000009
【図８Ａ】
2020130871.tif 000010
【図８Ｂ】
2020130871.tif 000011
【図９Ａ】
2020130871.tif 000012
【図９Ｂ】
2020130871.tif 000013
【図１０Ａ】
2020130871.tif 000014
【図１０Ｂ】
2020130871.tif 000015
【図１１Ａ】
2020130871.tif 000016
【図１１Ｂ】
2020130871.tif 000017
【図１１Ｃ】
2020130871.tif 000018
【図１１Ｄ】
2020130871.tif 000019
【図１１Ｅ】
2020130871.tif 000020
【図１１Ｆ】
2020130871.tif 000021
【図１１Ｇ】
2020130871.tif 000022
【図１１Ｈ】
2020130871.tif 000023